(57)【要約】【課題】塗布操作の回数が少なくても多量の薬剤を素早くまつ毛に塗布することができるマスカラ塗布具を提供すること。【解決手段】マスカラ薬剤を塗布する塗布部１２が塗布部軸２１と、塗布部軸２１の長手方向に沿って所定間隔を置いて複数配置されたクシ歯２０とから構成される。クシ歯２０は環状片２２と突出片２３が一体で形成されている。クシ歯２０として、大きさの異なる複数種のものが用いられる。塗布具１０を塗布部軸２１の長手方向と直交する方向からみたときに、各クシ歯の外径部を結んで形成される仮想線Ｌが波形になるように各クシ歯が配置されている。【選択図】図１
2007175256.tif 000002
【特許請求の範囲】
【請求項１】
マスカラ薬剤を塗布する塗布部が塗布部軸と、該塗布部軸の長手方向に沿って所定間隔を置いて複数配置されたクシ歯とから構成され、クシ歯は環状片と突出片が一体で形成されたマスカラ塗布具であって、
前記クシ歯として、クシ歯直径の異なる複数種のクシ歯を用い、
前記塗布具を前記塗布部軸の長手方向と直交する方向からみたときに、各クシ歯の外径部を結んで形成される仮想線が波形になるように各クシ歯が配置されているマスカラ塗布具。
【請求項２】
前記マスカラ塗布具は、塗布棒の先端部に前記塗布部を有しており、前記塗布部軸は、塗布棒の先端芯棒の外周に被着されており、該塗布部軸の直径Ｃとしたとき、下記式を満足し、更に、
前記クシ歯のうち、各クシ歯の外径部を結んで形成される仮想線の波形の隣接する頂点のクシ歯どうしの間隔が０．３〜２０ｍｍとなるように、且つ前記仮想線が１から３０個の波を含むように各クシ歯が配置されている請求項１記載のマスカラ塗布具。
０．１≦（ｄ２−Ｃ）／（ｄ１−Ｃ）≦０．９
（式中、ｄ１は塗布部におけるクシ歯直径の最も大きなクシ歯の該クシ歯直径を表し、ｄ２は塗布部におけるクシ歯直径の最も小さなクシ歯の該クシ歯直径を表す）
【請求項３】
突出片が、環状片の周方向に沿って略一定間隔をなす複数位置に設けられて塗布部軸の径方向の外方に突出している請求項１又は２記載のマスカラ塗布具。
【発明の詳細な説明】
【技術分野】
【０００１】
本発明は、マスカラ塗布具に関する。
【背景技術】
【０００２】
マスカラ薬剤は従来、まつ毛に対してカール効果を訴求する物が多かったが、近年はそれに加えボリューム感も要望されるようになってきている。ボリューム感を好むユーザーは、まつ毛に多量のマスカラ薬剤を塗布することで、まつ毛を一層太くはっきりさせて、この化粧効果を実感する傾向にある。ボリューム感を出すために、従来はまつ毛一本一本にマスカラ薬剤を塗布し、個々のまつ毛を太らせる工夫をしていた。
【０００３】
しかしながら、従来のマスカラブラシでボリューム感を出すためには、何度も重ね塗りが必要であり手間がかかっていた。また、重ね塗りすることで、化粧効果が悪くなるという不都合もある。具体的には、マスカラ薬剤の入っている容器と、まつ毛の間をブラシが何度も行き来するので時間がかかり、その間に先に塗られている薬剤が固化してしまい、固化したところをブラシで梳くと、せっかく塗った薬剤が剥がれてしまう。従って、ボリューム感を上げて、ボリューム感を好むユーザーが満足するようなまつ毛形状に整えるためには、少ない回数で素早く薬剤を塗布できることが有利である。
【０００４】
マスカラブラシの形状に関し、ブラシの塗布部に起伏を設けると共に、表面に溝、すじ、条線等を付与したものが知られている（特許文献１参照）。また、スクリューブラシにおいて、ブラシ毛を取り付ける芯部材を３つの円弧で形成される曲線状とすることにより、ブラシ部分をＷ字型に形成したものも知られている（特許文献２参照）。
【０００５】
しかしこれらのブラシにおいては、ブラシ毛の剛性が薬剤の粘度に負けてしまい、頼りない使い心地になることがある。またブラシ毛は、軸の中心から外側に向けて放射状にランダムに突き出て毛群を構成しているので、あたかも密に茂った枝の中をかいくぐるかのようにして、まつ毛を束にまとめなければならない。更に、所望の束太さになるだけの本数のまつ毛を、ブラシ毛の隙間に確実に取り込むことは容易でない。その上、ブラシ毛の隙間にまつ毛を無理に寄せることによって、せっかく整えたまつ毛束を破壊することがある。
【０００６】
【特許文献１】特許第３０８３５０５号公報
【特許文献２】特開２００４−１６３２８号公報
【発明の開示】
【発明が解決しようとする課題】
【０００７】
従って本発明の目的は、前述した従来技術が有する、ボリューム感を好むユーザーが満足するようなまつ毛形状に整えるために、固化したところをブラシで梳くと、せっかく塗った薬剤が剥がれて汚くなったり、少ない回数で素早く薬剤を塗布できないなどの、種々の欠点を解消し得るマスカラ塗布具を提供することにある。
【課題を解決するための手段】
【０００８】
本発明は、マスカラ薬剤を塗布する塗布部が塗布部軸と、該塗布部軸の長手方向に沿って所定間隔を置いて複数配置されたクシ歯とから構成され、クシ歯は環状片と突出片が一体で形成されたマスカラ塗布具であって、
前記クシ歯として、クシ歯直径の異なる複数種のクシ歯を用い、
前記塗布具を前記塗布部軸の長手方向と直交する方向からみたときに、各クシ歯の外径部を結んで形成される仮想線が波形になるように各クシ歯が配置されているマスカラ塗布具を提供することにより、目的を達成したものである。
【発明の効果】
【０００９】
本発明によれば、塗布部は、塗布部軸の長手方向と直交する方向から見たときに、各クシ歯の外径部を結んで形成される仮想線が波形になるようにクシ歯が配置されている。波形の山頂点近傍は塗布部が太く、波形の谷部分は塗布部が細くなっている。つまり塗布部に太い部分と細い部分とが存在しているので、その細い部分に保持された薬剤は容器のしごき弁でしごかれにくい。従って、その細い部分に多量の薬剤を保持することができるので、塗布操作の回数が少なくても多量の薬剤を素早くまつ毛に塗布することができる。
【発明を実施するための最良の形態】
【００１０】
以下本発明を、その好ましい実施形態に基づき図面を参照しながら説明する。図１ないし図３には、本発明のマスカラ塗布具の一実施形態が示されている。
【００１１】
図１（ａ）に示すように、マスカラ塗布具１０は、塗布棒１１の先端部に塗布ヘッド１２を有している。図１（ｂ）及び（ｃ）に示すように、塗布ヘッド１２には、クシ歯２０が、塗布棒１１の軸方向に沿って略一定間隔をおいて複数設けられている。マスカラ塗布具１０は、例えば、塗布棒１１の先端芯棒１１Ａの周囲に、インサート成形によって、塗布ヘッド１２を射出成形して製作される。
【００１２】
塗布棒１１および先端芯棒１１Ａは、例えばポリブチレンテレフタレート、ポリプロピレン、ＡＢＳ樹脂、ポリアセタール等の樹脂から構成される。一方、塗布ヘッド１２は塗布棒１１の樹脂よりも柔らかい樹脂から構成されることが好ましい。
【００１３】
塗布ヘッド１２においては、図２及び図３に示すように、塗布棒１１の先端芯棒１１Ａの全長にわたり、該先端芯棒１１Ａの外周に、塗布部軸２１が被着されている。塗布部軸２１の外周にはクシ歯２０が設けられている。各クシ歯２０は、環状片２２と突出片２３を有する。環状片２２は、塗布部軸２１の軸方向に沿って略一定間隔をおき、該塗布部軸２１の外周に複数設けられている。塗布部軸２１の軸方向において隣り合う環状片２２の間隔は、後述する環状溝１３の溝幅と一致する。突出片２３は、環状片２２の周方向に沿って略一定間隔をなす複数位置に設けられている。また突出片２３は、環状片２２の径方向の外方に突出している。本実施形態では、クシ歯２０が、６個の突出片２３を備える星形状の形状になっている。尤もクシ歯２０の突出片の数は、３から２０個の範囲で適宜選択できる。
【００１４】
塗布部軸２１を、塗布棒１１の先端芯棒１１Ａに確実に固定するために、先端芯棒１１Ａの表面に、凹凸やその周方向に延びる溝（図示せず）を１本又は複数本形成することが好ましい。これによって、インサート成形時に、塗布部軸２１の構成材料が前記の溝内に充填され、塗布部軸２１と先端芯棒１１Ａとが係合する。また、先端芯棒１１Ａの表面に凸部（図示せず）を形成した場合は、その凸部がインサート成形時に金型に保持されるため、塗布ヘッドの成形時に射出圧力による影響で発生する先端芯棒１１Ａと塗布部軸２１との芯ぶれを防止する効果もある。
【００１５】
図３に示すように、塗布部軸２１の軸方向において隣り合うクシ歯２０間には、塗布部軸２１のまわりに環状溝１３が形成される。具体的には、環状溝１３は、隣り合う一方のクシ歯２０の環状片２２及び突出片２３と、他方のクシ歯２０の環状片２２及び突出片２３とによって形成される。環状溝１３の底部の幅は好適には０．２〜０．８ｍｍである。環状溝１３にはマスカラ薬剤が保持される。
【００１６】
図１（ｂ）及び（ｃ）に示すように、本実施形態においては、クシ歯２０として、クシ歯直径の異なる複数種のクシ歯を用いている。これら複数種のクシ歯は互いに相似形になっている。複数種のクシ歯は、図１（ａ）に示すように塗布具１０を塗布部軸の長手方向と直交する方向からみたときに、各クシ歯の外径部を結んで形成される仮想線Ｌが波形になるように配置されている。この仮想線Ｌは波形になっている。なお、クシ歯の直径とは、図２において符号ｄで示される長さであり、外径部とは同図において符号Ｄで示される位置である。
【００１７】
波形とは、図１（ａ）のＬに示されるように、クシ歯直径の異なる複数種のクシ歯を用い、塗布具を塗布部軸の長手方向と直交する方向からみたときに、各クシ歯の外径部を結んで形成される仮想線が波形になるように各クシ歯が配置されていることをいう。
【００１８】
仮想線Ｌの波は、塗布ヘッド１２の先端部から後部へ向かうに連れて徐々に大きくなり、山の頂点の部分を有する。頂点の部分から更に後部へ向かうに連れて波は徐々に小さくなり再び谷の部分となる。更に後部へ向かうに連れ再び山の部分となる。このように、塗布ヘッド１２は、軸方向に沿う略中央部に波の谷を有し、その谷の前後に波の山をそれぞれ有する。更に前側の山の頂点よりも更に先端側に、谷の部分を有する。波の谷の部分は塗布ヘッド１２における最小径の部分である。一方波の山の部分は塗布ヘッド１２における最大径の部分である。従って、塗布ヘッド１２は、軸方向に沿う略中央部に最小径の部分が存在し、その前後に最大径の部分をそれぞれ有する。更に、前側の最大径の部分よりも更に先端側に最小径の部分を有する。つまり、本実施形態の塗布具１０における塗布ヘッド１２は、太い部分と細い部分とが交互に位置した形状になっている。
【００１９】
このような特徴的な形状を有する塗布ヘッド１２を備えた塗布具１０を用いたマスカラ薬剤の塗布方法について、図４を参照しながら説明する。
【００２０】
先ず、マスカラ塗布具１０の塗布ヘッド１２のクシ歯２０を、マスカラ薬剤が収容された容器（図示せず）に浸漬し、各クシ歯２０に付着したマスカラ薬剤の過剰付着分を該容器のしごき弁（図示せず）によってしごき落とす。マスカラ塗布具１０は、軸方向で隣り合うクシ歯２０の間に形成された環状溝１３、特にそれらクシ歯２０の環状片２２、及び突出片２３の基端部の間にマスカラ薬剤を貯留する。この場合、塗布ヘッド１２における最大径の存する位置及びその近傍に付着した薬剤はしごき弁によってしごかれやすいが、最小径の存する位置及びその近傍に付着した薬剤はしごかれにくい。従って、図４（ａ）に示すように、塗布ヘッド１２における最小径の存する位置及びその近傍には、多量の薬剤が保持される。つまり１回のディッピング操作でも、薬剤を容器から多量に取り出すことが容易となる。
【００２１】
しごき弁の内径αは適量の薬剤を保持する為に下記の式（１）及び（２）を満足することが好ましい。クシ歯の突出片２３としごき弁の大きさがこの関係を満たすようにこれらの大きさを調整することで、厚塗り機能を損なわずにコーミング機能を発現させることができる。
（０．２×（ｄ１−Ｃ）＋Ｃ）＜α＜（０．８×（ｄ１−Ｃ）＋Ｃ）  （１）
（０．５×（ｄ２−Ｃ）＋Ｃ）＜α                                （２）
（式中、ｄ１は塗布ヘッド１２におけるクシ歯直径の最も大きなクシ歯の該クシ歯直径を表し、ｄ２は塗布ヘッド１２におけるクシ歯直径の最も小さなクシ歯の該クシ歯直径を表す。またＣは塗布部軸２１の外径を表す）
【００２２】
次に図４（ｂ）に示すように、マスカラ塗布具１０の隣り合うクシ歯２０，２０の環状溝１３にまつ毛を適確に誘導し、隣り合う突出片２３，２３の間にまつ毛を通過させる。それによって、環状溝１３に貯留されているマスカラ薬剤にまつ毛を付着させる。
【００２３】
そして、図４（ｃ）に示すようにクシ歯２０を上まつ毛に対して上方に移動させ、クシ歯２０の環状片２２、及び突出片２３の基端部の間に貯留されているマスカラ薬剤をまつ毛に塗布する。この場合、上述のように、塗布ヘッド１２における最小径の存する位置及びその近傍には、多量の薬剤が保持されているので、図４（ｃ）に示すように、その部分でまつ毛に多量の薬剤を付着させながらまつ毛全体を持ち上げられる。一方、塗布ヘッド１２における最大径の位置およびその近傍に保持される薬剤はしごき弁でしごかれやすい構造を有しており、塗布直後にコーミング効果を発揮することができる。薬剤が固化する前にまつ毛を梳き整えることができるため、ダマを発生させずに大量の薬剤を塗布することができる。その結果、塗布操作の回数が少なくても多量の薬剤を塗布し、まつ毛形状をきれいに整えることができる。
【００２４】
その上、本実施形態においては、成形クシ歯２０を塗布部軸２１の軸方向に沿って配置しているので、クシ歯間の奥まで、つまり軸の中心近くまで、まつ毛をしっかりと捉えることができ、しっかりと束ねることができる。
【００２５】
まつ毛に薬剤を十分に塗布したら、図４（ｄ）に示すように、塗布ヘッド１２における最大径の存する位置及びその近傍の部分を利用して、まつ毛に塗布された薬剤の量を調整する。この部分における薬剤の付着量は、しごき弁でしごかれやすい構造を有している。従って、最小径の存する位置及びその近傍の部分よりも相対的に少なくなっているので、塗布直後にコーミング効果を発揮することができる。
【００２６】
以上の効果を顕著なものとするためには、波形となっている仮想線Ｌは、１から３０個、特に１から２０個の波を含んでいることが好ましい。また、同様の理由により、各クシ歯の外径部を結んで形成される仮想線Ｌの波形の隣接する頂点のクシ歯どうしの間隔が０．３〜２０ｍｍ、特に０．５〜２０ｍｍとなるように各クシ歯が配置されていることが好ましい。
【００２７】
更に同様の理由により、塗布具１０は下記式（３）、特に下記式（４）を満足することが望ましい。
０．１≦（ｄ２−Ｃ）／（ｄ１−Ｃ）≦０．９（３）
０．１≦（ｄ２−Ｃ）／（ｄ１−Ｃ）≦０．８（４）
（式中、ｄ１、ｄ２及びＣは、先に述べた定義と同じである。）
【００２８】
これに関連して、最小直径を有するクシ歯の直径の値そのものは３．５〜５．０ｍｍ、特に３．８〜４．５ｍｍであることが好ましく、最大直径を有するクシ歯の直径の値そのものは３．８〜１０ｍｍ、特に４〜９ｍｍであることが好ましい。
【００２９】
本実施形態で用いられるクシ歯２０の形状は、環状溝１３に保持されるマスカラ薬剤の量や、まつ毛のコーミング効果に影響を及ぼす。この観点から、塗布部軸２１に沿ってクシ歯２０を正面視した状態で測定された、クシ歯２０の環状片２２及び突出片２３の全表面積Ｚ０に対する、当該クシ歯２０の環状片２２の全表面積Ｚ１の比率Ｚ１／Ｚ０は２０〜５０％、特に２０〜４０％であることが好ましい。なお、Ｚ０は４．５〜２６ｍｍ2（例えば９．９ｍｍ2）であることが好ましく、Ｚ１は１．５〜６ｍｍ2（例えば２．７ｍｍ2）であることが好ましい。また、クシ歯２０の厚みは、０．１５〜０．６ｍｍとすることが好ましい。クシ歯２０の厚みとは、環状片２２と突出部２３の長さを合わせた中心部の厚みをいう。
【００３０】
塗布ヘッド１２におけるクシ歯２０の剛性は、まつ毛のコーミング効果に影響を及ぼす。特に、マスカラ薬剤が高粘度である場合には、その影響が顕著になる。クシ歯２０が軟らかすぎると、高粘度のマスカラ薬剤の粘弾性にクシ歯２０が抗しきれず、過度に変形してしまい、コーミング効果が低下する。逆に、クシ歯２０が硬すぎても十分なコーミング効果が得られない。これらの観点から、本実施形態においては、クシ歯２０の環状片２２及び突出片２３のショア硬さ（Ａ）を４５〜１２０、特に５０〜９０とすることが好ましい。それによってマスカラ薬剤の貯留機能とコーミング効果を併せ持つことができる。クシ歯２０のショア硬さ（Ａ）は、ＪＩＳ  Ｋ７２１５に従い、タイプＡデュロメータを用いてクシ歯素材をシートに形成して測定する。
【００３１】
以上、本発明をその好ましい実施形態に基づき説明したが、本発明は前記実施形態に制限されない。
【図面の簡単な説明】
【００３２】
【図１】図１（ａ）は、本発明のマスカラ塗布具の一実施形態を示す正面図であり、図１（ｂ）及び（ｃ）は塗布具における塗布ヘッドの要部拡大図である。
【図２】図１のII−II線に沿う断面図（正面視）である。
【図３】図２のIII−III線に沿う断面図である。
【図４】図１に示すマスカラ塗布具の使用状態を示す模式図である。
【図５】本発明のマスカラ塗布具の第２の実施形態における塗布ヘッドの要部拡大図である。
【図６】図５に示すマスカラ塗布具の使用状態を示す模式図である。
【符号の説明】
【００３３】
１０  マスカラ塗布具
１１  塗布棒
１１Ａ  塗布棒先端芯棒
１２  塗布ヘッド（塗布部）
２０  クシ歯
２１  塗布部軸
２２  環状片
２３  突出片
【図１】
2007175256.tif 000003
【図２】
2007175256.tif 000004
【図３】
2007175256.tif 000005
【図４】
2007175256.tif 000006
【図５】
2007175256.tif 000007
【図６】
2007175256.tif 000008